(57)【特許請求の範囲】
【請求項１】
表示装置及びその他の端末制御装置と、それらの端末制御装置を統括制御する主制御装置とを有する自動販売機の制御装置であって、
前記表示装置の記憶装置に表示データを販売品メーカー識別コードと共に記憶させ、主制御装置の記憶装置にも販売品メーカー識別コードを記憶させ、表示装置の記憶装置に記憶させた販売品メーカー識別コードと主制御装置の記憶装置に記憶させた販売品メーカー識別コードとが一致したときのみ前記表示データの表示を行うようにしたことを特徴とする自動販売機の制御装置。
【請求項２】
電源投入後、主制御装置から表示装置へ販売品メーカー識別コードを送信し、表示装置では、主制御装置から受信した販売品メーカー識別コードと表示装置の記憶装置に記憶している販売品メーカー識別コードとを照合して、両者が一致したときのみ前記表示データを表示することを特徴とする請求項１記載の自動販売機の制御装置。
【請求項３】
電源投入後、表示装置から主制御装置へ販売品メーカー識別コードを送信し、主制御装置では、表示装置から受信した販売品メーカー識別コードと主制御装置の記憶装置に記憶している販売品メーカー識別コードとを照合して、両者が一致したときのみ前記表示データの表示指令を出力することを特徴とする請求項１記載の自動販売機の制御装置。
【請求項４】
両識別コードが一致しなかったとき、その旨の表示を行うことを特徴とする請求項１，２または３記載の自動販売機の制御装置。
【発明の詳細な説明】
【０００１】
【発明の属する技術分野】
本発明は、文字やグラフィックデータ等の様々な情報を表示可能な表示装置を具えた自動販売機の制御装置に関するものである。
【０００２】
【従来の技術】
近年、自動販売機に文字やグラフィックデータ等、様々な情報を表示可能な表示装置を設け、その表示装置に新製品の案内，キャンペーンメッセージ，販売会社のロゴマーク等を表示して商品の広告宣伝を行えるようにしたものが設置されるようになっている。そのような自動販売機では、表示装置に表示する表示データを予め自動販売機内のＲＯＭ等の記憶装置に記憶させておき、待機時等にその表示データを記憶装置から読み出して、ドットマトリックスＬＥＤ，ドットマトリックスＬＣＤ，ＣＲＴ等の表示器に表示させるようにしている。
【０００３】
そして、表示する内容は、販売商品の変更や季節の変化等に応じて変更する必要が出てくるが、そのような場合は、古い表示データを記憶しているＲＯＭを新しい表示データを記憶しているＲＯＭに交換する等して対応していた。あるいは、携帯端末等を使って、外部から新しい表示データを与えることにより、記憶装置に記憶させた表示データを書き換えるようにすることも考えられている。
【０００４】
なお、このような自動販売機の制御装置に関連する従来の文献としては、例えば、特開昭60-245096 号公報(G07F 9/02) がある。
【０００５】
【発明が解決しようとする課題】
このような自動販売機では、記憶装置に記憶させた表示データを変更する際に、表示データの変更作業を常にその自動販売機で販売する商品のメーカー（以下、「販売品メーカー」という）が行えば問題はない。しかしながら、表示データの変更を常にその自動販売機の販売品メーカーが行うとは限らない。例えば、表示装置が故障した場合は、新しい部品と交換することになるが、その際に、自動販売機メーカーから部品を取り寄せて交換することになる。そして、同じ自動販売機の部品であれば、外観はどの販売品メーカーのものも区別がつかないので、販売品メーカーＡの自動販売機に、誤って、他の販売品メーカーＢ用の表示データが記憶されている部品を送ってしまうことも起こりうる。そのような場合、販売品メーカーＡの自動販売機に販売品メーカーＢ用の表示データを表示してしまうという問題点がある。
【０００６】
また、自動販売機メーカーがサービスで表示データの変更作業を行うことも考えられ、その場合も、誤って、販売品メーカーＡの自動販売機に販売品メーカーＢ用の表示データに変更してしまって、異なるメーカーの表示データを表示してしまうことが起こり得る。
【０００７】
本発明は、そのような問題点を解決し、表示データを変更しても、自動販売機が自動的に表示データをチェックして、誤って、異なる販売品メーカーの表示をしてしまうようなことがないようにすることを課題とするものである。
【０００８】
【課題を解決するための手段】
前記課題を解決するため、請求項１記載の自動販売機の制御装置では、表示装置及びその他の端末制御装置と、それらの端末制御装置を統括制御する主制御装置とを有する自動販売機の制御装置であって、前記表示装置の記憶装置に表示データを販売品メーカー識別コードと共に記憶させ、主制御装置の記憶装置にも販売品メーカー識別コードを記憶させ、表示装置の記憶装置に記憶させた販売品メーカー識別コードと主制御装置の記憶装置に記憶させた販売品メーカー識別コードとが一致したときのみ前記表示データの表示を行うようにした。そのようにすることにより、ある販売品メーカーの自動販売機の表示データを、誤って、他の販売品メーカー用の表示データに変更してしまっても、他の販売品メーカー用の表示データを表示することはなくなる。
【０００９】
また、請求項２記載の自動販売機の制御装置では、電源投入後、主制御装置から表示装置へ販売品メーカー識別コードを送信し、表示装置では、主制御装置から受信した販売品メーカー識別コードと表示装置の記憶装置に記憶している販売品メーカー識別コードとを照合して、両者が一致したときのみ前記表示データを表示するようにした。そしてまた、請求項３記載の自動販売機の制御装置では、電源投入後、表示装置から主制御装置へ販売品メーカー識別コードを送信し、主制御装置では、表示装置から受信した販売品メーカー識別コードと主制御装置の記憶装置に記憶している販売品メーカー識別コードとを照合して、両者が一致したときのみ前記表示データの表示指令を出力するようにした。そのようにすることにより、電源投入時に、確実に表示データをチェックすることができる。
【００１０】
さらにまた、請求項４記載の自動販売機の制御装置では、両識別コードが一致しなかったとき、その旨の表示を行うようにした。そのようにすることにより、誤った表示データに変更してしまったことが即座に分かるようになる。
【００１１】
【発明の実施の形態】
以下、本発明の実施の形態を図面に基づいて詳細に説明する。
図１は、自動販売機の制御ブロック図である。表示装置２は、金額表示器，釣り銭切れ表示器等を一体化した一体型表示器及びその制御装置からなる。硬貨識別装置３は、自動販売機の硬貨投入口（図示せず）に投入された硬貨の選別及び釣り銭の排出を行う。商品払出装置４は、商品搬出機構及びその制御装置からなる。入力装置５は、自動販売機の各種設定データを設定変更するためのものである。主制御装置１は、信号線６を介してそれら各部との間でデータ交換を行ったり動作指示を出したりしてそれらを統括制御する。
【００１２】
表示装置２は、例えば、ドットマトリックスＬＥＤで構成される金額表示器を具えており、それに投入金額のほか文字やグラフィックデータを表示できるようにしている。そして、その制御は、図２に示すような、ＣＰＵ２ａ、それを動作させるためのプログラムと表示データを記憶させるフラッシュＲＯＭ２ｂ、各種データを記憶させるＲＡＭ２ｃで実行される。さらに、表示装置２は、メモリカードを接続するためのカードコネクタ２ｄを具えており、更新データを書き込んだメモリカードをそれに差し込むことにより、フラッシュＲＯＭ２ｂの内容を書き換えることができるようにしている。
【００１３】
図３は、表示装置の一例を示す斜視図であり、図４は、図３の表示装置の側面図である。符号２は、図１，図２のものに対応し、２ｅは金額表示器、２ｆ，２ｇは釣り銭切れ表示器、２ｈはお札中止表示器、２ｉはデータ収集用窓、２ｊは光センサ、２ｋは回路基板、２ｍはＬＥＤ等よりなる表示ランプである。
【００１４】
金額表示器２ｅは、各ドットが赤色と緑色の２個のＬＥＤよりなる１６×３２ドットマトリックスＬＥＤで構成されている。したがって、従来の金額表示器のように数字と一部のアルファベットだけでなく、仮名や漢字、さらに簡単な図柄も表示することができ、しかも、赤，緑，オレンジ（赤と緑を同時に点灯）と３色の表示が可能となっている。
そして、それと一体的に、１０円硬貨や１００円硬貨の釣り銭切れをランプの点灯により表示する釣り銭切れ表示器２ｆ，２ｇや、紙幣識別装置の故障時等にお札の受入れ中止をランプの点灯により表示するお札中止表示器２ｈ等を具えている。さらに、ハンディーターミナルとの間で赤外線を使って信号をやり取りするデータ収集用窓２ｉや、照明の点滅制御を行うための光センサ２ｊ等も具えている。
【００１５】
この自動販売機では、そのような金額表示器２ｅを用いることにより、金額表示器２ｅに投入金額を表示するだけでなく、文字やグラフィックデータ等も表示できるようにしている。例えば、待機時には、新商品の案内，特定商品のキャンペーンメッセージ，販売会社のロゴマーク等を表示させ、貨幣が投入されたら、金額表示や販売に関するメッセージの表示に自動的に切り換える。
【００１６】
この自動販売機ではまた、メモリカードソケット２ｄを表示装置の回路基板２ｋに取り付け、表示装置２の後側からメモリカード１０を挿入できるようにしている。そのことにより、メモリカード１０に新しい表示データを書き込んでおけば、そのメモリカード１０をメモリカードソケット２ｄに差し込むだけで、フラッシュＲＯＭ２ｂ内の表示データの変更を簡単に行うことができる。また、そのようにして、表示データの変更を行っている間には、表示ランプ２ｍを点灯させて、メモリカード１０を引き抜かないように注意を与える。
【００１７】
さらに本発明では、フラッシュＲＯＭ２ｂに表示データを記憶させる際に、販売品メーカーの識別コード（以下、「メーカー識別コード」という）を一緒に記憶させるようにしている。その際、メーカー識別コードの付け方として、本実施形態では、図５に示すように、複数の表示データＡ，Ｂ，Ｃ，・・・  に対して１つ付けるようにしている。しかし、それに必ずしも限定されず、各表示データ毎に付けてもよい。ただ、いずれにしても、表示データを変更するときは、メーカー識別コードも一緒に変更する必要がある。
【００１８】
一方、主制御装置１は、図６に示すように、制御用のＣＰＵ１ａと、そのプログラムを格納したＲＯＭ１ｂと、各種データを記憶するＲＡＭ１ｃとを具えている。そして、ＲＯＭ１ｂには、通常、自動販売機の工場出荷段階で、上記プログラムの他にその自動販売機の型式等と共に、販売品メーカーのメーカー識別コードが書き込まれている。
【００１９】
そこで、主制御装置１は、電源が投入された時、表示装置２に対して、まず、ＲＯＭ１ｂに記憶しているメーカー識別コードを送信する。表示装置２は、主制御装置１からメーカー識別コードを受信したら、受信したメーカー識別コードと、フラッシュＲＯＭ２ｂに記憶しているメーカー識別コードとを照合し、両者が一致したときのみ、主制御装置１からの表示指令に従って、フラッシュＲＯＭ２ｂに記憶している表示データの表示を行い、一致しなかったときは、主制御装置１から表示指令を受けても、表示を一切行わないようにする。
【００２０】
あるいはまた、照合を主制御装置１で行うようにしてもよい。その場合は、主制御装置１は電源が投入された時、表示装置２に対して、まず、メーカー識別コードの送信を指令する。表示装置２は、その指令を受けて、フラッシュＲＯＭ２ｂに記憶しているメーカー識別コードを主制御装置１に送信する。主制御装置１は、表示装置２からメーカー識別コードを受信したら、受信したメーカー識別コードと、ＲＯＭ１ｂに記憶しているメーカー識別コードとを照合し、両者が一致したときは、表示装置２に対して表示データの表示指令を送信する。しかし、一致しなかったときは、自動販売機が待機状態になっても、表示装置２に対して表示指令を送信しないようにする。
【００２１】
なお、上記実施形態では、表示データを表示する表示器として、一体型表示器を用いる場合で説明したが、その他の表示器を別個に設けてもよい。また、表示器としてドットマトリックスＬＥＤを用いたが、それに限定されず、ドットマトリックスＬＣＤやＣＲＴを用いてもよい。
【００２２】
【発明の効果】
以上述べた如く、本発明の自動販売機の制御装置では、表示装置の記憶装置に表示データを販売品メーカー識別コードと共に記憶させ、それと主制御装置の記憶装置に記憶している販売品メーカー識別コードとが一致したときのみ表示データの表示を行うようにした。その結果、ある販売品メーカーの自動販売機の表示データを、誤って、他の販売品メーカー用の表示データに変更してしまうことがあっても、他の販売品メーカー用の表示データを表示することはなくなる。
【００２３】
また、電源投入後、販売品メーカー識別コードを、主制御装置から表示装置へ、または、表示装置から主制御装置へ送信し、表示装置または主制御装置で、両販売品メーカー識別コードを照合するようにすれば、電源投入時に、確実に表示データのチェックを行うことができる。
【００２４】
そしてまた、両識別コードが一致しなかったとき、その旨の表示を行うようにすれば、誤って、他の販売品メーカー用の表示データに変更してしまうことがあっても、そのことが即座に判別できるようになる。
【図面の簡単な説明】
【図１】自動販売機の制御ブロック図である。
【図２】表示装置のブロック図である。
【図３】表示装置の一例を示す斜視図である。
【図４】図３の表示装置の側面図である。
【図５】フラッシュＲＯＭ内の表示データ記憶形態を示す図である。
【図６】主制御装置のブロック図である。
【符号の説明】
１  主制御装置
２  表示装置
３  硬貨識別装置
４  商品払出装置
５  入力装置
６  信号線
１０  メモリカード
【図１】
0003826462.tif 000002
【図２】
0003826462.tif 000003
【図３】
0003826462.tif 000004
【図４】
0003826462.tif 000005
【図５】
0003826462.tif 000006
【図６】
0003826462.tif 000007